(57)【要約】      （修正有）【課題】従来のゴルフのパッティング練習機及び装置は、単調な同じパターンの練習を繰り返すだけで、パッティングを楽しむことが難しかった。【解決手段】ゴルフボールが転がるスペースを幅の狭いレール形状にしたことで狭いスペースでパッティングができるだけではなく、そのレール形状のものを任意につなげるだけで多種多様なパッティングの練習パターンが簡単にできるようになった。そして三角柱のような角度を持ったパーツを取り入れたことで、短い距離でも長い距離の練習が可能になった。また、ボールが静止した場所にあらかじめポイントを与えることでパッティングが練習にゲーム性を持ち楽しくパッティングを行うことができるようになった。これにより、狭いスペースで色々なパターンのパッティング練習が簡単にできるようになり、単純な練習の繰り返しだったパッティングの練習がより楽しめるものになる。【選択図】  図５
2006305258.tif 000002
【特許請求の範囲】
【請求項１】
ゴルフボールなどが転がるレール形状の面とレール形状を持たない面とを備えた幅の狭い板状又は棒状のメインレールと、前記メインレールに接続する傾斜のついた三角柱形状のものまたはそれに似た傾斜をつけるための構造をしたものなどが組み合わさっているゴルフ練習システム。
【請求項２】
請求項１のメインレールやそれに似たレール上に線を引いたりいくつかの間隔を色で区分けしたりすることによって、ゴルフボールなどが静止した時にその位置の違いによってポイントなどが簡単に計算できるゴルフ練習システム。
【発明の詳細な説明】
【技術分野】
【０００１】  本発明はゴルフのパッティング技術の向上を目的としたゴルフ練習器具に関する。
【背景技術】
【０００２】  従来のゴルフのパッティングの練習器具や装置はあらかじめ設定されている距離や傾斜を繰り返し練習することでパッティング技術が向上するように作られたものである。【０００３】  以下、図６により従来のゴルフのパッティング練習器具及び装置について説明する。図６においてＰはゴルフボールが転がる人工芝などの面で、６０がゴルフボールを置く基本位置、６１はゴルフボールが転がって入るホールになっている。ゴルフボールが転がる面Ｐはフラットな場合と傾斜がついた場合がある。
【発明の開示】
【発明が解決しようとする課題】
【０００４】  以上に述べた従来のゴルフのパッティング練習器具及び装置では、あらかじめ決められた距離または範囲でしかパッティングができず、かつ単純なラインのパッティングの繰り返ししかできないものであった。【０００５】  本発明はこのような従来のパッティング練習器具及び装置でのパッティングの練習が決められた距離または範囲、そして単純なラインでしかできなかった問題を解決しようとするものであり、従来のパッティングの練習に新しい使い方をプラスさせることを目的とするものである。【０００６】  そして、本発明は上記目的を達成するために、ゴルフボールが転がるため面を有する狭い幅の板状又は棒状のものをレール形状にしてつなぎ合わせるメインレールと、ボールの転がるラインに傾斜を与える構造をした三角柱またはそれに似た傾斜をつけるための構造を施したスロープレールなど組み合わせたものである。【０００７】  また、第２の課題解決手段は、ゴルフボールを転がすだけではなくボールが静止した場所の違いを明確にするために、メインレールやそれに似たレールの上又はその横などに線を引いたりいくつかの間隔を色で区分けしたりすることでボールの静止位置を差別化できることを構成としたものである。【０００８】  上記第１の課題解決手段による作用は次の通りである。すなわち、ボールが転がる面の幅を狭い板状又は棒状のような形状にすることで狭い設置面積でもパッティングをする距離を自由に延長することが簡単にできる。また、レール形状の面とレール形状を持たない面とを備えることで難易度の異なったパッティングを行うことができる。そして、三角柱やそれに似た傾斜をつけるための構造を施したスロープレールをメインレールなどにつなぎ合わせることによって短い距離でも長い距離のパッティングを行うことができる。【０００９】  また第２の課題解決手段による作用は、パッティングの練習を目的とするだけではなく、パッティングをしたボールが止まる位置を指定し、その位置にあらかじめポイントなどを決めておくことによりパッティングの練習をゲームのように楽しむことができる。
【発明の効果】  以下、本発明の実施の形態を図１〜図５に基づいて説明する。【００１０】  図１において１０はゴルフボールで１１は１０のゴルフボールが転がるメインボード面を上から見た状況を示している。ボール１０は左の方向へ真っ直ぐメインボード１１の上を転がる。ゴルフボール１０が真っ直ぐパッティングされない場合はメインボード１１から落ちてしまうことになる。【００１１】  図２において２０はゴルフボールで２１と２２はメインボードの断面図である。２１のメインボードのゴルフボール２０が転がる面には右と左に一定の高さを持ったガード部分を有し、ゴルフボール２０が左右に少しずれた時にゴルフボール２０の軌道を修正する機能を備えている。２２のメインボードのゴルフボール２０が転がる面にはガード部分は無く、ゴルフボール２０が左右にずれた時にはゴルフボール２０はメインボード２２から落ちてしまう。【００１２】  図３において３０はゴルフボールで３１は傾斜を持つスロープボード、３２はその断面図である。そして３３のガード部分は図２の２１と同じようにゴルフボール３０が左右少しずれた時にゴルフボール３０の軌道を修正する機能を備えている。【００１３】  図４において４０はゴルフボールで４１は１２のメインボートと同じ高さのポイントボードである。ポイントボードのゴルフボール４０が転がる面はあらかじめ決められた間隔で色分けされていて、その色の違いごとにポイントなどを設定することが可能になっている。ポイントボード４１は色分けではなく線やマークなどで区分けされている場合もある。【００１４】  図５において５０はゴルフボールで５１は１１と同じメインボート、５２は３１と同じスロープボード、５３は４１と同じポイントボードである。ゴルフボール５０はメインボード５１とスロープボード５２の上を転がり５３の上に落ちる。５３は１１と同じメインボードの場合もある。
【産業上の利用可能性】
【００１５】  上述したように本発明のレールパッティングシステムはパッティングを真っ直ぐに打つことに効果があるだけではなく、パッティングの距離を自由に設定したり、ゴルフボールが転がる途中にスロープなどを設置したりすることで色々な距離やシチュエーションでパッティングの練習を行うことができる。【００１６】  また、ボールの落ちた場所や止まった場所にあらかじめポイントを設定することができるので、パッティングの練習だけではなくゲームとして楽しむ効果を発揮するものである。
【図面の簡単な説明】
【００１７】
【図１】本発明の実施形態を示すメインボートとボールの外観図
【図２】同メインボードの断面図
【図３】同スロープボードとボールの外観図
【図４】同ポイントボードとボールの外観図
【図５】同メインボードとスロープボード、ポイントボードの外観図
【図６】既存のゴルフのパッティング練習機の外観図
【符号の説明】
【００１８】１０  ゴルフボール
１１  メインボード真上
１２  メインボード横
２０  ゴルフボール
２１  メインボードレール面断面
２２  メインボード断面
３０  ゴルフボール
３１  スロープボード横
４０  ゴルフボール
４２  ポイントボード
５０  ゴルフボール
５１  メインボード
５２  スロープボード
５３  ポイントボード
６０  ゴルフボール
６１  ホール
Ｐ    人工芝面
【図１】
2006305258.tif 000003
【図２】
2006305258.tif 000004
【図３】
2006305258.tif 000005
【図４】
2006305258.tif 000006
【図５】
2006305258.tif 000007
【図６】
2006305258.tif 000008